(57)【要約】【課題】ファイバスタブが軸方向に移動することによる光出力変動を抑え、製作容易なホルダ付きファイバスタブ、ファイバスタブ付き光アイソレータ、光アイソレータ付き光レセプタクルおよび光モジュールを提供すること。【解決手段】ホルダ付きファイバスタブ２０は、第１の内径を有する第１孔部２ａａと第１孔部２ａａより内径の小さい第２孔部２ａｂとを連通させた貫通孔２ａを有するホルダ２と、一端１ｃから他端１ｄにかけて光ファイバ３を内蔵し、一端１ｃが貫通孔２ａの第１孔部２ａａに挿入され、第１孔部２ａａと第２孔部２ａｂとの間の段差面２ｂに当接されている。【選択図】図１
2011070148.tif 000002
【特許請求の範囲】
【請求項１】
第１の内径を有する第１孔部と第１孔部より内径の小さい第２孔部とを連通させた貫通孔を有するホルダと、一端から他端にかけて光ファイバを内蔵し、一端が前記貫通孔の第１孔部に挿入され、第１孔部と第２孔部との間の段差面に当接されたファイバスタブと、を備えたホルダ付きファイバスタブ。
【請求項２】
前記段差面と前記ファイバスタブの一端面とは、平行であることを特徴とする請求項１記載のホルダ付きファイバスタブ。
【請求項３】
前記ファイバスタブの一端面は、内蔵する前記光ファイバが挿通される孔に対して垂直であることを特徴とする請求項１または２記載のホルダ付ファイバスタブ。
【請求項４】
請求項１乃至３のいずれかに記載のホルダ付きファイバスタブと、偏光子とファラデー回転子とを備え、前記第２孔部の開口を塞ぐように設置された光アイソレータ素子と、前記貫通孔の内部の前記ファイバスタブと前記光アイソレータ素子との間に配置された屈折率整合剤とを具備することを特徴とするファイバスタブ付き光アイソレータ。
【請求項５】
前記屈折率整合剤は、前記ファイバスタブに内蔵された前記光ファイバのコアとほぼ等しい屈折率を有し、接着性を有していることを特徴とする請求項４記載のファイバスタブ付き光アイソレータ。
【請求項６】
前記ファイバスタブの前記一端面から先端が斜め加工された光ファイバの一端を突出させた請求項１乃至３のいずれかに記載のホルダ付きファイバスタブと、偏光子とファラデー回転子とを備え、前記第２孔部の開口を塞ぐように設置された光アイソレータ素子とを具備することを特徴とするファイバスタブ付き光アイソレータ。
【請求項７】
前記光アイソレータ素子が設置される前記ホルダの設置面は、光軸に対して傾斜していることを特徴とする請求項４乃至６記載のファイバスタブ付き光アイソレータ。
【請求項８】
前記光アイソレータ素子に磁界を印加する磁石が、前記ホルダの前記光アイソレータ素子の周囲に設置されていることを特徴とする請求項４乃至７のいずれかに記載のファイバスタブ付き光アイソレータ。
【請求項９】
請求項４乃至８のいずれかに記載のファイバスタブ付き光アイソレータと、前記ファイバスタブの先端部が挿入されたスリーブと、該スリーブを覆うように配置されたスリーブカバーとを備えた光アイソレータ付き光レセプタクル。
【請求項１０】
請求項９記載の光アイソレータ付き光レセプタクルと、前記光アイソレータ素子に光結合されるように配置された光素子を有する光学ユニットとを備えた光モジュール。
【発明の詳細な説明】
【技術分野】
【０００１】
本発明は、光通信に用いられるホルダ付きファイバスタブ、およびこれを用いたファイバスタブ付き光アイソレータ、光レセプタクル、光モジュールに関する。
【背景技術】
【０００２】
光モジュールとは光信号を電気信号に、または電気信号を光信号に変換するものであって、半導体レーザやフォトダイオード等の光学素子を筐体内に収容し、光ファイバを接続可能なように、光レセプタクルが設けられている。
【０００３】
近年、光レセプタクルを用いた光モジュールは、情報量の増加に伴い通信速度の高速化が求められている。
【０００４】
通信速度の高速化には、高性能な半導体レーザを使用することが肝要であり、そのためファイバスタブや光アイソレータを光路に配置し反射戻り光を防止し、安定して良好な特性が得られるようにしたものが用いられている。
【０００５】
ファイバスタブとは、フェルールの内部に光ファイバが挿通されたもので、フェルールと光ファイバとを接着した後、片端面を球面研磨加工し、もう一方の端面を光軸に対して斜面に研磨加工したものが用いられる。
【０００６】
ファイバスタブは、例えば特許文献１に示されているように、貫通孔を設けたホルダの内側にファイバスタブの後端部を圧入し、ファイバスタブの外周面が貫通孔の内周面に保持されるようにして用いられる。また、スリーブ部材の後端面を光結合部材に接合する際の支障にならないように、ファイバスタブの後端面はホルダの貫通孔内に収まるように位置させ、光結合部材に接触しないようにしてある。ファイバスタブの圧入は、ファイバスタブの先端面を押圧して行なうが、後端面からの反作用で内部の光ファイバが位置ズレすることがないように、ファイバスタブの後端面は貫通孔内で移動自由な状態にされている。
【０００７】
そして、ファイバスタブの先端部にはスリーブが挿入され、このスリーブの反対側から挿入されるプラグフェルールの先端とファイバスタブの先端とをバネ圧等による一定の力で当接させて、プラグフェルールおよびファイバスタブ内の光ファイバを光信号が伝わるようにしてある。さらに、ファイバスタブの後端側の光ファイバと光素子とを光接続させることによって、光素子と光ファイバとの間の光信号が授受される。
【０００８】
ファイバスタブは後端面が光素子からの光信号の焦点位置等の定まった位置に設置されるので、ファイバスタブの位置が変動すると、光出力変動が大きくなる。ところが、ファイバスタブの他端側にプラグフェルールが当接される度に、ファイバスタブの軸方向に力が加わることになる。そのため、ファイバスタブの圧入には、光コネクタ内で加わるこれら応力に耐えうる圧入による保持強度が求められ、ファイバスタブの外径寸法およびファイバスタブが圧入されるホルダの内径寸法は高精度に管理されなければならない。
【先行技術文献】
【特許文献】
【０００９】
【特許文献１】特開２００９−２５４５８号公報
【発明の概要】
【発明が解決しようとする課題】
【００１０】
しかしながら、上述の光レセプタクルでは、ファイバスタブを圧入するホルダに設けられる貫通孔の内径精度に加工バラつきが生じることは避けられないことから、ファイバスタブの保持強度が十分でなく、位置変動が生じてしまうという問題があった。また、逆に内径が小さく、圧入時に印加される力が大きくなりすぎると、ファイバスタブに傷が付いたり、ホルダの貫通孔の軸に対して真っ直ぐに圧入されないものが生じたりするという問題があった。
【００１１】
本発明は叙上に鑑みてなされたものであり、その目的とするところは、ファイバスタブに力が加わってもファイバスタブの位置変動が生じ難く、製造容易なホルダ付きファイバスタブ及び光レセプタクル、光モジュールを提供することにある。
【課題を解決するための手段】
【００１２】
上記目的を達成するために、本発明の一実施形態に係るホルダ付きファイバスタブは、第１の内径を有する第１孔部と第１孔部より内径の小さい第２孔部とを連通させた貫通孔を有するホルダと、一端から他端にかけて光ファイバを内蔵し、一端が前記貫通孔の第１孔部に挿入され、第１孔部と第２孔部との間の段差面に当接されたファイバスタブとを備えることを特徴とする。
【００１３】
本発明の一実施形態に係るホルダ付きファイバスタブは、上記構成に加えて、前記段差面と前記ファイバスタブの一端面とは、平行であることが好ましい。
【００１４】
また、本発明の一実施形態に係るホルダ付きファイバスタブは、上記構成に加えて、さらに前記ファイバスタブの一端面は、内蔵する前記光ファイバが挿通される孔に対して垂直であることが好ましい。
【００１５】
また、本発明の一実施形態に係るファイバスタブ付き光アイソレータは、上記ホルダ付きファイバスタブと、偏光子とファラデー回転子とを備え、前記第２孔部の開口を塞ぐように設置された光アイソレータ素子と、前記貫通孔の内部の前記ファイバスタブと前記光アイソレータ素子との間に配置された屈折率整合剤とを具備することを特徴とする。
【００１６】
前記屈折率整合剤は、前記ファイバスタブに内蔵された前記光ファイバのコアとほぼ等しい屈折率を有し、接着性を有していることが好ましい。
【００１７】
また、本発明の一実施形態に係るファイバスタブ付き光アイソレータは、前記ファイバスタブの前記一端面から先端が斜め加工された光ファイバの一端を突出させた上記ホルダ付きファイバスタブと、偏光子とファラデー回転子とを備え、前記第２孔部の開口を塞ぐように設置された光アイソレータ素子とを具備することを特徴とする。
【００１８】
また、前記光アイソレータ素子が設置される前記ホルダの設置面は、光軸に対して傾斜していることが好ましい。
【００１９】
また、前記光アイソレータ素子に磁界を印加する磁石が、前記ホルダの前記光アイソレータ素子の周囲に設置されていることが好ましい。
【００２０】
また、本発明の一実施形態に係る光アイソレータ付き光レセプタクルは、上記ファイバスタブ付き光アイソレータと、前記ファイバスタブの先端部が挿入されたスリーブと、このスリーブを覆うように配置されたスリーブカバーとを備えたものである。
【００２１】
また、本発明の一実施形態に係る光モジュールは、上記光アイソレータ付き光レセプタクルと、前記光アイソレータ素子に光結合されるように配置された光素子を有する光学ユニットとを備えたものである。
【発明の効果】
【００２２】
本発明のホルダ付きファイバスタブによれば、ファイバスタブの一端がプラグフェルールの挿入されるホルダの貫通孔の第１孔部と第２孔部との間の段差面に当接されているため、光学的な接続をすべく、プラグフェルールの先端面がファイバスタブと接触しても、プラグフェルールの挿入方向におけるファイバスタブの移動を抑止することができる。その結果、ファイバスタブの位置ずれを低減できるため、良好な光学特性を維持できる。
【図面の簡単な説明】
【００２３】
【図１】本発明の一実施形態に係るホルダ付ファイバスタブを示す断面図である。
【図２】本発明の一実施形態に係るファイバスタブ付き光アイソレータを示す断面図である。
【図３】本発明の他の実施形態に係るファイバスタブ付き光アイソレータを示す断面図である。
【図４】本発明の一実施形態に係る光アイソレータ付き光レセプタクルを示す断面図である。
【図５】本発明の一実施形態に係る光モジュールの断面図である。
【発明を実施するための形態】
【００２４】
以下、図面を参照しながら、本発明に係るホルダ付きファイバスタブに関して詳細に説明する。
【００２５】
図１は、本発明の一実施形態に係るホルダ付きファイバスタブ２０を示す断面図である。ホルダ付きファイバスタブ２０は、ファイバスタブ１とホルダ２とを備える。ファイバスタブ１は、フェルール１ａの中心軸に貫通孔１ｂが形成されており、貫通孔１ｂに光ファイバ３が挿通されている。また、ホルダ２は第１孔部２ａａと第１孔部２ａａより内径の小さい第２孔部２ａｂとを連通させた貫通孔２ａを有している。第１孔部２ａａと第２孔部２ａｂとはそれぞれの中心軸を一致させて連ねられ、この中心軸が貫通孔２ａの中心軸または光軸となっている。
【００２６】
ファイバスタブ１は、その一端１ｃが第１孔部２ａａに挿入され、ホルダ２の第２孔部２ａｂを覆うように第１孔部２ａａと第２孔部２ａｂとの間の段差面２ｂに当接するように配置される。第1孔部２ａａの内周面とファイバスタブ１の外周面との間には適度なク
リアランスが設けられ、第１孔部２ａａはファイバスタブ１を挿入する際のガイドとなる。
【００２７】
ホルダ２は、筒状を成しており、第１孔部２ａａ内にある段差面２ｂと、その裏面側にある一端面２ｃを有している。また、ホルダ２は、ホルダ２の段差面２ｂからホルダ２の一端面２ｃにかけて形成された第２孔部２ａｂを有する。この第２孔部２ａｂの内径は、第１孔部２ａａの内径に比べて小さくされているために、第１孔部２ａａと第２孔部２ａｂとの間に段差面２ｂが形成されている。また、第２孔部２ａｂは、プラグフェルール９が保持する光ファイバ９ａと光学的に接続されており、内部を光が伝搬する。
【００２８】
また、ホルダ２の段差面２ｂとファイバスタブ１の一端面１ｃとは、平行であることが好ましい。平行であれば、ファイバスタブ１とホルダ２との当接面積を広くすることができ、プラグフェルール９の挿抜時に加わる力を分散できるので、プラグフェルール９の挿入方向におけるファイバスタブ１の移動を抑制することができる。また、ファイバスタブ１とホルダ２とを接着する場合には接着面積を広くし、接着強度を強くできる。その結果、ホルダ付きファイバスタブ２０では、ファイバスタブ１の位置ずれを低減できるため、良好な光学特性を維持できる。
【００２９】
また、ファイバスタブ１の一端面１ｃは、内蔵する光ファイバ３が挿通される孔１ｂに対して垂直であることが好ましい。すなわち、光軸と平行な孔１ｂに対して垂直面であることが好ましい。これによって、従来の斜面研磨に比べて研磨量が少なくて済むため、ファイバスタブ１の加工が容易になり、研磨加工時間の削減、研磨消耗品の削減になる。
【００３０】
以下に、上述した本発明の一実施形態にかかるホルダ付ファイバスタブ２０を構成する部材の詳細を示す。
【００３１】
ホルダ２は、光レセプタクルに使用される場合、光素子（発光素子または受光素子）が収納される筐体と溶接されることが多いスリーブカバー８と接合されることが多いため、スリーブカバー８と同じ材質であるステンレス製であるのが望ましい。ホルダ２とスリーブカバー８との熱膨張係数を合わせて信頼性を高めることができる。
【００３２】
ファイバスタブ１は、フェルール１ａ及び光ファイバ３を有し、筒状のフェルール１ａの軸方向に延びる貫通孔１ｂに光ファイバ３が挿入されている。光ファイバ３は、例えば接着剤により貫通孔１ｂに接着されている。このファイバスタブ１の光ファイバ３は、プラグフェルール９の光ファイバ９ａと光学的に接続される。ファイバスタブ１の先端面１ｄは、曲率半径が５ｍｍ〜３０ｍｍの曲面であることが好ましく、光ファイバ３の先端面と面一とされている。このように曲面とすることにより、プラグフェルール９と接続する際の接続損失を低減することができる。また、ファイバスタブ１の後端面１ｃは、ファイバスタブ１の軸に対して前述の通り垂直が好ましい。光ファイバ３の後端は、ファイバスタブ１の後端面１ｃと面一とは限らず、後端面１ｃから突出させる場合もある。
【００３３】
フェルール１ａを構成する材料としては、ジルコニアセラミックス、アルミナセラミックスなどが用いられるが、耐摩耗性の観点から、ジルコニアセラミックス材料を用いることが好ましい。
【００３４】
光ファイバ３としては、石英系光ファイバ、プラスティック系光ファイバ及び多成分ガラス系光ファイバなどが用いられる。
【００３５】
図２は、上記ホルダ付きファイバスタブ２０に光アイソレータを搭載した本発明の一実施形態に係るファイバスタブ付き光アイソレータ２１を示す。
【００３６】
光アイソレータは、光アイソレータ素子４とそれを包囲する円筒状の磁石６とから構成され、反射戻り光の通過を防止する。光アイソレータは、光アイソレータ素子４を構成するファラデー回転子４ａが円筒状の磁石６の内側に位置するよう配置することが肝要である。ファラデー回転子４ａの両側には偏光子４ｂが接着されて、光アイソレータ素子４が構成されている。
【００３７】
ファイバスタブ付き光アイソレータ２１において、光アイソレータ素子４は、プラグフェルール９が当接されるファイバスタブ１の先端１ｄと反対側になるホルダ２の一端面２ｃに開口する第２孔部２ａｂを閉塞するように配置されて固定されている。また、第２孔部２ａｂ内に屈折率整合剤５が注入されている。光ファイバ３および光アイソレータ素子４の屈折率と屈折率整合剤５の屈折率を整合させることにより、光ファイバ３および光アイソレータ素子４と屈折率整合剤５との屈折率差を近似させ、これら光ファイバ３，屈折率整合剤５，光アイソレータ素子４の間での光信号の反射を抑えることができる。
【００３８】
また、従来のファイバスタブ１は光の反射防止のために一端面１ｃを光軸に対して傾けて研磨していたが、屈折率整合剤５を注入することによって、ファイバスタブ１の一端面１ｃで発生する光の反射を抑制することができるのでファイバスタブ１の一端面１ｃは、光ファイバ３が挿通される孔１ｂに対して垂直で良い。ファイバスタブ１の一端面１ｃが垂直であれば、従来の斜面研磨に比べて研磨量が少なくて済み、また、同時に屈折率整合剤５で光アイソレータ素子４を接着する場合、ファイバスタブ１の一端面１ｃは粗面でよいため、研磨加工時間を削減し、研磨消耗品を削減することができる。
【００３９】
また、図２に示すように、ホルダ２の一端面２ｃに、光アイソレータ素子４を配置するザグリ部２ｄが設けられていることが好ましい。このような形態によれば、光アイソレータ素子４をザグリ部２ｄで位置決めできるため、光アイソレータ素子４を精度よく配置することができる。また、このザグリ部２ｄは、第２孔部２ａｂの軸方向に対して斜めに傾斜した設置面２ｄａを有するのがよい。このようなザグリ部２ｄを設けることにより、光アイソレータ素子４の端面を第２孔部２ａｂと略同一方向である光軸に対して斜めに配置することができ、発光素子等への反射戻り光を低減させることができる。このザグリ部２ｄにおける設置面２ｄａは、第２孔部２ａｂの軸と直交する面に対して、４〜１１度傾斜しているのが好ましい。
【００４０】
光アイソレータ素子４には、２枚の偏光子４ｂの間にファラデー回転子４ａのそれぞれの光学面を貼り合わせて構成されるラミネート型の光アイソレータ素子４を例としている。一方の光学面となる偏光子４ｂの面とホルダ２とを接着しており、ファラデー回転子４ａに磁界を印加するための円筒型磁石６が光アイソレータ素子４の周りに配置されている。また、光アイソレータ素子４の他方の光学面となる偏光子４ｂの光学面（光素子が配置される側）には反射防止膜が施されていてもよい。
【００４１】
偏光子４ｂは、ガラス基板に誘電体粒子を内包するタイプや誘電体積層タイプ等の透過偏光方向と直交する偏光成分を吸収する偏光子の他に、回折格子等を利用した反射型の偏光子や光路をシフトさせる複屈折結晶によって構成される。また、光アイソレータ素子４に用いられるファラデー回転子４ａは、Ｔｂ，Ｇｄ，Ｈｏを添加したＢｉ置換ガーネットやＹＩＧガーネット、さらには磁石が不要な自己バイアス型のもので構成される。
【００４２】
屈折率整合剤５は、光ファイバ３および偏光子４ｂと同程度の屈折率となるようなものであればよく、さらに好ましくは、これらと接着性に優れるものがよい。例えばアクリル系樹脂，エポキシ系樹脂，ビニル系樹脂，エチレン系樹脂，シリコーン系樹脂，ウレタン系樹脂，ポリアミド系樹脂，フッ素系樹脂，ポリブタジエン系樹脂，またはポリカーボネート系樹脂等を用いることができる。また、上述した材質の中でも、アクリル系樹脂およびエポキシ系樹脂は、耐湿性，耐熱性，耐剥離性および耐衝撃性という観点から好適である。なお、屈折率整合剤５と光ファイバ３及び偏光子４ｂの屈折率差は、０．１以下であれば、屈折率差による光の反射をきわめて小さくすることができる。
【００４３】
図３は、上記ホルダ付きファイバスタブ付き光アイソレータにおいて屈折率整合剤５を使用しない場合の一実施形態を示す。ファイバスタブ付き光アイソレータ２１ａは、光ファイバ３の一端（光アイソレータ側の一端面）が光の反射を抑制するため６〜８度に傾斜した斜め加工面３ａを有している。斜め加工面３ａはファイバスタブ１の一端面１ｃより突き出しておりかつ、ホルダ２のザグリ部２ｄａまで到達しない長さに設定されている。光アイソレータ素子４を通って空間を介して光ファイバ３に光結合される光は、斜め加工面３ａによって反射を抑制することができる。斜め加工面３ａの加工方法は、専用カッターによる切断、レーザ加工、研磨などによって加工される。なお、この場合、ファイバスタブ１の一端面１ｃは、孔１ｂまたは光軸に対して垂直な面とされている。
【００４４】
図４は、本発明の一実施形態に係る光アイソレータ付き光レセプタクル２２の断面図である。光レセプタクル２２は、ホルダ付きファイバスタブ２０を用いて構成されているものを示す。光レセプタクル２２は、スリーブカバー８とスリーブ７とを備えている。スリーブカバー８はスリーブ７を覆い、スリーブ７を保護する。又、プラグフェルール９着脱時にスリーブ７が光レセプタクル２２から脱落するのを防止する。スリーブカバー８は、光素子（発光素子または受光素子）１０が収納される筐体と溶接し、また、ホルダ２と接合させるため上述した通り、ステンレスが好適に用いられる。
【００４５】
次に、スリーブ７は、プラグフェルール９を受けるための貫通孔７ａを有し、貫通孔７ａの一方側にファイバスタブ１の先端を挿入し、また貫通孔７ａの反対側からプラグフェルール９が挿入されることによって、プラグフェルール９とファイバスタブ１とを同軸に当接させ、これらを光学的に接続させる。
【００４６】
スリーブ７の材料としてはジルコニアセラミックス、アルミナセラミックス、銅などが用いられるが、耐摩耗性の観点から、ジルコニアセラミックス材料を用いることが好ましい。
【００４７】
図５は、本発明の一実施形態に係る光モジュール２３の断面図である。光モジュール２３は、本発明の一実施形態に係るホルダ付きファイバスタブ２０を用いた光アイソレータ付き光レセプタクル２１を用いて構成されているものを示す。光モジュール２３は、光学ユニットを備え、光学ユニットは、光素子１０とレンズ１２とを備える。また、光モジュール２３は、スリーブホルダ８の外周部に金属スリーブ１４を嵌合させ、金属スリーブ１４は発光素子１０およびレンズ１１を備えたケース（筐体）１３と接合されて構成されている。
【００４８】
光モジュール２３は、光素子１０から出射された光信号がレンズ１２および光アイソレータ素子４を通過した後、屈折率整合剤５および光ファイバ３を介して、プラグフェルール９の光ファイバ９ａのコアに結合されるように構成されている。
【００４９】
光モジュール２３において、金属スリーブ１４とケース１３とは、ＹＡＧ等によって溶接されている。そのため、ケース１３を構成する材料としては、金属スリーブ１４と同じものが好ましい。
【００５０】
光素子１０としては、半導体レーザダイオード（ＬＤ）や発光ダイオード（ＬＥＤ）などが挙げられる。
【００５１】
レンズ１２は、発光素子１０から出射された光を集光して光ファイバ３に導入する機能を担い、このようなレンズ１２としては、たとえば球状の石英レンズを用いることができる。
【００５２】
本発明の一実施形態に係る光モジュール２３によれば、プラグフェルール９の挿入方向におけるファイバスタブ１の移動を抑止することができる。その結果、光モジュール２３は、良好な光学特性を維持できる。
【００５３】
また、ファイバスタブ１の一端面１ｃは光軸に対して垂直な粗面でよく、ファイバスタブ１とホルダ２と光アイソレータ素子４と屈折率整合剤５を接着固定することによって、容易且つ安価に製作することができる。屈折率整合剤５を用いない場合は光ファイバ３の一端面を斜め加工面３ａとすることで反射光を抑制できる。
【００５４】
以上、本発明の具体的な実施形態を例示したが、本発明はこれらに限定されるものではなく、本発明の思想から逸脱しない範囲内で種々の変更が可能である。なお、各図において、共通する部分については同一の符号を付し重複した説明を省略した。各構成要素の配置個数、配置位置等は限定的でなく、ホルダ付きファイバスタブ２１及び光レセプタクル２２及び光モジュール２３の使用目的、用途、所望の性能等により適宜調整することができる。
【符号の説明】
【００５５】
１：ファイバスタブ
２：ホルダ
２ａ：貫通孔
２ａａ：第１孔部
２ａｂ：第２孔部
２ｂ：段差面
３：光ファイバ
３ａ：斜め加工面
４：光アイソレータ素子
５：屈折率整合剤
６：磁石
７：スリーブ
８：スリーブカバー
９：プラグフェルール
１０：光素子
２０：ホルダ付きファイバスタブ
２１：ファイバスタブ付き光アイソレータ
２１ａ：ファイバスタブ付き光アイソレータ
２２：光アイソレータ付き光レセプタクル
２３：光モジュール
【図１】
2011070148.tif 000003
【図２】
2011070148.tif 000004
【図３】
2011070148.tif 000005
【図４】
2011070148.tif 000006
【図５】
2011070148.tif 000007